(57)【要約】【課題】動的なサービス品質パラメータ値の設定を、より正確に行う。【解決手段】Ｏ＆Ｍサーバ１００が、基地局２００−１〜２００−３におけるトラヒック情報と、基地局２００−１〜２００−３への制御メッセージに対するレスポンスの状態を示すレスポンス情報とを収集し、収集したトラヒック情報に基づいて、ＱｏＳパラメータ値を最適化するか否かを判定し、最適化すると判定した場合、収集したトラヒック情報およびレスポンス情報に基づいて、最適化後のＱｏＳパラメータ値を算出し、算出したＱｏＳパラメータ値を基地局２００−１〜２００−３へ送信し、基地局２００−１〜２００−３が、Ｏ＆Ｍサーバ１００から送信されてきたＱｏＳパラメータ値に基づいて、通信制御を行う。【選択図】図１
2014003476.tif 000002
【特許請求の範囲】
【請求項１】
基地局と、該基地局を監視する監視サーバとを具備する通信システムにおいて、
前記監視サーバは、
前記基地局におけるトラヒック情報と、前記基地局への制御メッセージに対する該基地局からのレスポンスの状態を示すレスポンス情報とを収集する監視部と、
前記監視部が収集したトラヒック情報に基づいて、サービス品質パラメータ値を最適化するか否かを判定し、前記サービス品質パラメータ値を最適化すると判定した場合、前記監視部が収集したトラヒック情報およびレスポンス情報に基づいて、最適化後のサービス品質パラメータ値を算出する分析部と、
前記分析部が算出したサービス品質パラメータ値を前記基地局へ送信する送信部とを有し、
前記基地局は、
前記監視サーバから送信されてきたサービス品質パラメータ値に基づいて、通信制御を行う制御部を有する通信システム。
【請求項２】
請求項１に記載の通信システムにおいて、
前記基地局は、
前記サービス品質パラメータ値をあらかじめ記憶する記憶部を有し、
前記制御部は、前記記憶部に記憶されているサービス品質パラメータ値に基づいて、通信制御を行い、前記監視サーバから前記サービス品質パラメータ値が送信されてきた際、前記記憶部に記憶されているサービス品質パラメータ値を前記監視サーバから送信されてきたサービス品質パラメータ値に書き換えることを特徴とする通信システム。
【請求項３】
請求項１または請求項２に記載の通信システムにおいて、
前記監視部は、前記基地局への制御メッセージに対する該基地局からのレスポンス率およびレスポンス時間を前記レスポンス情報として収集することを特徴とする通信システム。
【請求項４】
請求項１から３のいずれか１項に記載の通信システムにおいて、
前記分析部は、前記基地局の使用可能な通信帯域を前記サービス品質パラメータ値として算出することを特徴とする通信システム。
【請求項５】
請求項１から４のいずれか１項に記載の通信システムにおいて、
前記分析部は、前記基地局が送受信する信号種別に応じた優先度を前記サービス品質パラメータ値として算出することを特徴とする通信システム。
【請求項６】
請求項１から５のいずれか１項に記載の通信システムにおいて、
前記分析部は、前記基地局が行うイベントに基づいて、前記サービス品質パラメータ値を最適化するか否かを判定し、前記サービス品質パラメータ値を最適化すると判定した場合、前記基地局が行うイベントに基づいて、最適化後のサービス品質パラメータ値を算出することを特徴とする通信システム。
【請求項７】
請求項１から６のいずれか１項に記載の通信システムにおいて、
前記監視サーバと前記基地局とは、ＬＴＥネットワークを介して接続されることを特徴とする通信システム。
【請求項８】
基地局を監視し、該基地局におけるトラヒック情報と、前記基地局への制御メッセージに対する該基地局からのレスポンスの状態を示すレスポンス情報とを収集する監視部と、
前記監視部が収集したトラヒック情報に基づいて、サービス品質パラメータ値を最適化するか否かを判定し、前記サービス品質パラメータ値を最適化すると判定した場合、前記監視部が収集したトラヒック情報およびレスポンス情報に基づいて、最適化後のサービス品質パラメータ値を算出する分析部と、
前記分析部が算出したサービス品質パラメータ値を前記基地局へ送信する送信部とを有する監視サーバ。
【請求項９】
基地局であって、
サービス品質パラメータ値をあらかじめ記憶する記憶部と、
前記記憶部に記憶されているサービス品質パラメータ値に基づいて、通信制御を行い、当該基地局を監視する監視サーバから前記サービス品質パラメータ値が送信されてきた際、前記記憶部に記憶されているサービス品質パラメータ値を前記監視サーバから送信されてきたサービス品質パラメータ値に書き換える制御部とを有する基地局。
【請求項１０】
基地局と、該基地局を監視する監視サーバとを具備する通信システムにおける通信制御方法であって、
前記監視サーバが、前記基地局におけるトラヒック情報と、前記基地局への制御メッセージに対する該基地局からのレスポンスの状態を示すレスポンス情報とを収集する処理と、
前記監視サーバが、前記収集したトラヒック情報に基づいて、サービス品質パラメータ値を最適化するか否かを判定する処理と、
前記監視サーバが、前記サービス品質パラメータ値を最適化すると判定した場合、前記収集したトラヒック情報およびレスポンス情報に基づいて、最適化後のサービス品質パラメータ値を算出する処理と、
前記監視サーバが、前記算出したサービス品質パラメータ値を前記基地局へ送信する処理と、
前記基地局が、前記監視サーバから送信されてきたサービス品質パラメータ値に基づいて、通信制御を行う処理とを行う通信制御方法。
【発明の詳細な説明】
【技術分野】
【０００１】
本発明は、通信を行う通信システム、監視サーバ、基地局および通信制御方法に関する。
【背景技術】
【０００２】
基地局のネットワークサービス品質を保証するＱｏＳ（Ｑｕａｌｉｔｙ  ｏｆ  Ｓｅｒｖｉｃｅ）パラメータ値（以下、サービス品質パラメータ値と称する）については、基地局建設時に設定された固定パラメータで動作するのが一般的になっているが、本来、サービス品質パラメータ値は、基地局の増減設に伴うネットワークトポロジの変更や、トラヒックの状況に応じて最適化すべきものである。
【０００３】
しかしながら、定期的に実施すべきこのようなサービス品質パラメータ値の最適化・チューニングを保守者介在のもと実施すると、メンテナンス工数が増大してしまう。一方、サービス品質パラメータ値の最適化・チューニングの作業を実施せず基地局建設時の状態で運用してしまうと、想定以上のトラヒックがネットワーク上に流れ込み、輻輳やパケットロスが発生したり、空き帯域があるにもかかわらず割り当てる帯域が制限されたりするなど、ネットワークリソースを有効活用できない問題が発生することが予想される。
【０００４】
そこで、例えば、ネットワークや、そのネットワークと接続された装置における使用帯域（トラヒック情報）に基づいて、サービス品質パラメータ値のような予約帯域を動的に変更する技術が考えられている（例えば、特許文献１参照。）。
【先行技術文献】
【特許文献】
【０００５】
【特許文献１】特開２０１０−７４６０９号公報
【発明の概要】
【発明が解決しようとする課題】
【０００６】
しかしながら、特許文献１に記載されているような技術においては、使用帯域のみに基づいて、サービス品質パラメータ値を変更するため、アプリケーションレベルでのサービス品質を考慮した変更を行うことができないという問題点がある。
【０００７】
本発明の目的は、上述した課題を解決する通信システム、監視サーバ、基地局および通信制御方法を提供することである。
【課題を解決するための手段】
【０００８】
本発明の通信システムは、
基地局と、該基地局を監視する監視サーバとを具備する通信システムであって、
前記監視サーバは、
前記基地局におけるトラヒック情報と、前記基地局への制御メッセージに対する該基地局からのレスポンスの状態を示すレスポンス情報とを収集する監視部と、
前記監視部が収集したトラヒック情報に基づいて、サービス品質パラメータ値を最適化するか否かを判定し、前記サービス品質パラメータ値を最適化すると判定した場合、前記監視部が収集したトラヒック情報およびレスポンス情報に基づいて、最適化後のサービス品質パラメータ値を算出する分析部と、
前記分析部が算出したサービス品質パラメータ値を前記基地局へ送信する送信部とを有し、
前記基地局は、
前記監視サーバから送信されてきたサービス品質パラメータ値に基づいて、通信制御を行う制御部を有する。
【０００９】
また、本発明の監視サーバは、
基地局を監視し、該基地局におけるトラヒック情報と、前記基地局への制御メッセージに対する該基地局からのレスポンスの状態を示すレスポンス情報とを収集する監視部と、
前記監視部が収集したトラヒック情報に基づいて、サービス品質パラメータ値を最適化するか否かを判定し、前記サービス品質パラメータ値を最適化すると判定した場合、前記監視部が収集したトラヒック情報およびレスポンス情報に基づいて、最適化後のサービス品質パラメータ値を算出する分析部と、
前記分析部が算出したサービス品質パラメータ値を前記基地局へ送信する送信部とを有する。
【００１０】
また、本発明の基地局は、
サービス品質パラメータ値をあらかじめ記憶する記憶部と、
前記記憶部に記憶されているサービス品質パラメータ値に基づいて、通信制御を行い、当該基地局を監視する監視サーバから前記サービス品質パラメータ値が送信されてきた際、前記記憶部に記憶されているサービス品質パラメータ値を前記監視サーバから送信されてきたサービス品質パラメータ値に書き換える制御部とを有する。
【００１１】
また、本発明の通信制御方法は、
基地局と、該基地局を監視する監視サーバとを具備する通信システムにおける通信制御方法であって、
前記監視サーバが、前記基地局におけるトラヒック情報と、前記基地局への制御メッセージに対する該基地局からのレスポンスの状態を示すレスポンス情報とを収集する処理と、
前記監視サーバが、前記収集したトラヒック情報に基づいて、サービス品質パラメータ値を最適化するか否かを判定する処理と、
前記監視サーバが、前記サービス品質パラメータ値を最適化すると判定した場合、前記収集したトラヒック情報およびレスポンス情報に基づいて、最適化後のサービス品質パラメータ値を算出する処理と、
前記監視サーバが、前記算出したサービス品質パラメータ値を前記基地局へ送信する処理と、
前記基地局が、前記監視サーバから送信されてきたサービス品質パラメータ値に基づいて、通信制御を行う処理とを行う。
【発明の効果】
【００１２】
以上説明したように、本発明においては、動的なサービス品質パラメータ値の設定を、より正確に行うことができる。
【図面の簡単な説明】
【００１３】
【図１】本発明の通信システムの実施の一形態を示す図である。
【図２】図１に示したＯ＆Ｍサーバの内部構成の一例を示す図である。
【図３】図２に示したトラヒックテーブルに記憶された内容の一例を示す図である。
【図４】図１に示した基地局の内部構成の一例を示す図である。
【図５】図１に示した通信システムにおける通信制御方法のうち、トラヒック情報およびレスポンス情報に基づいて、ＱｏＳパラメータ値を更新する処理の一例を説明するためのフローチャートである。
【図６】図１に示した通信システムにおける通信制御方法のうち、ネットワークトポロジが基地局・セルの増減設によって変化した場合にＱｏＳパラメータ値を更新する処理の一例を説明するためのフローチャートである。
【図７】図１に示した通信システムにおける通信制御方法のうち、基地局が行うイベントに基づいて、ＱｏＳパラメータ値を更新する処理の一例を説明するためのフローチャートである。
【発明を実施するための形態】
【００１４】
以下に、本発明の実施の形態について図面を参照して説明する。
【００１５】
図１は、本発明の通信システムの実施の一形態を示す図である。
【００１６】
本形態は図１に示すように、Ｏ＆Ｍ（Ｏｐｅｒａｔｉｏｎ  ａｎｄ  Ｍａｉｎｔｅｎａｕｃｅ）サーバ１００と、基地局２００−１〜２００−３とが、ＬＴＥネットワーク３００を介して接続された構成となっている。また、ＬＴＥネットワーク３００には、ＩＰ（Ｉｎｔｅｒｎｅｔ  Ｐｒｏｔｏｃｏｌ）ベースの複数ノードから構成されるＥＰＣ（Ｅｖｏｌｖｅｄ  Ｐａｃｋｅｔ  Ｃｏｒｅ）４００が接続され、ＥＰＣ４００は、コアネットワーク５００と接続されている。なお、図１には、ＬＴＥネットワーク３００と接続されている基地局が３台である場合を例に挙げて示しているが、その数に限定しない。
【００１７】
Ｏ＆Ｍサーバ１００は、所定のタイミングで、基地局２００−１〜２００−３からＳ１（基地局−ＥＰＣ間）／Ｘ２（基地局−基地局間）／Ｏ＆Ｍ（基地局−Ｏ＆Ｍサーバ間）リンクのネットワークトポロジ情報および現在のＱｏＳパラメータ値（サービス品質パラメータ値）を取得し、常に最新のネットワークトポロジ状態およびＯｏＳパラメータ値を保持（記憶）することで、基地局２００−１〜２００−３を監視する監視サーバである。また、Ｏ＆Ｍサーバ１００は、基地局２００−１〜２００−３におけるトラヒック情報の取得（収集）および呼制御メッセージのレスポンス情報（レスポンス率、レスポンス時間）のチェックを定期的に行い、最適なＱｏＳパラメータ値を分析する。トラヒック情報やレスポンス情報は、他ノード（基地局／ＥＰＣ）から収集するもの及びＯ＆Ｍサーバ自身で収集するものを含む。このように、Ｏ＆Ｍサーバ１００は、ネットワークレベルだけではなく、制御メッセージのレスポンス情報を加味することで、アプリケーションレベルでの品質を考慮することが可能となる。また、Ｏ＆Ｍサーバ１００は、品質分析結果に基づいて、基地局２００−１〜２００−３に対してＱｏＳパラメータ値を最適化すべきと判断したときは、基地局２００−１〜２００−３に対してＱｏＳパラメータ値の更新を行う。なお、ＱｏＳパラメータ値を用いたＱｏＳ制御には、大きく分けて帯域制御と優先制御がある。帯域制御では、データフローに対する通信帯域をコンフィグレーションするのに対し、優先制御では、データクラス毎の優先度をコンフィグレーションする。
【００１８】
図２は、図１に示したＯ＆Ｍサーバ１００の内部構成の一例を示す図である。
【００１９】
図１に示したＯ＆Ｍサーバ１００には図２に示すように、監視部１１０と、トラヒックテーブル１２０と、分析部１３０と、送信部１４０とが設けられている。なお、図２には、図１に示したＯ＆Ｍサーバ１００に設けられた構成要素のうち、本実施の形態に関わる主要な構成要素の一例を示す。
【００２０】
監視部１１０は、ネットワークトポロジ情報、基地局２００−１〜２００−３に現在設定されているＱｏＳパラメータ値、基地局２００−１〜２００−３におけるトラヒック情報、基地局２００−１〜２００−３への制御メッセージに対する基地局２００−１〜２００−３からのレスポンスの状態を示すレスポンス情報（レスポンス率、レスポンス時間）を取得（収集）する。また、監視部１１０は、取得（収集）した情報に基づいて、トラヒックテーブル１２０を更新する。
【００２１】
トラヒックテーブル１２０は、監視部１１０が取得した基地局２００−１〜２００−３から取得したネットワークトポロジ情報、現在設定されているＱｏＳパラメータ値、トラヒック情報およびレスポンス情報を記憶する。
【００２２】
分析部１３０は、監視部１１０が収集して、トラヒックテーブル１２０上で更新したトラヒック情報に基づいて、ＱｏＳパラメータ値を最適化するか否かを判定する。分析部１３０は、ＱｏＳパラメータ値を最適化すると判定した場合、監視部１１０が収集したトラヒック情報およびレスポンス情報に基づいて、最適化後のＱｏＳパラメータ値を算出する。
【００２３】
送信部１４０は、分析部１３０が算出したＱｏＳパラメータ値を基地局２００−１〜２００−３へ送信する。
【００２４】
図３は、図２に示したトラヒックテーブル１２０に記憶された内容の一例を示す図である。
【００２５】
図２に示したトラヒックテーブル１２０には図３に示すように、ＱｏＳパラメータ値を拡張し、トラヒックカテゴリ（通信種別）毎に収集したトラヒック情報を記憶しており、ＱｏＳパラメータ値を通信種別に応じて管理できるようにしている。また、トラヒックテーブル１２０には、監視部１１０が基地局２００−１〜２００−３から一定周期で取得したトラヒック情報を記憶し、監視部１１０が監視している制御メッセージのレスポンス情報（レスポンス率：制御メッセージに対してレスポンスが返信されてきた確率、レスポンス時間：制御メッセージが送信されてからレスポンスが返信されてきたまでの時間）と共に記憶し、更新される。また、トラヒックテーブル１２０に記憶されている内容は、ネットワークトポロジ変更などのイベントをトリガに更新される。なお、ＱｏＳパラメータ値は、ＱｏＳ制御の処理方法によって異なるため、使用可能なＢａｎｄｗｉｄｔｈ（通信帯域）とＰｒｉｏｒｉｔｙ（優先度）とを例に挙げて示している。
【００２６】
基地局２００−１〜２００−３は、Ｓ１／Ｘ２／Ｏ＆Ｍリンクのネットワークトポロジ情報およびＱｏＳパラメータ値を保持し、保持しているＱｏＳパラメータ値に従ってバックホール及びＸ２向けのトラヒックに対してＱｏＳ制御を行う。また、基地局２００−１〜２００−３は、Ｓ１／Ｏ＆Ｍリンク上で流れるトラヒック情報を収集し、定期的にＯ＆Ｍサーバ１００へ通知する。また、基地局２００−１〜２００−３は、ネットワークトポロジに変更があった場合（基地局の増減設など）、その都度、トポロジ情報をＯ＆Ｍサーバ１００へ通知する。また、基地局２００−１〜２００−３は、Ｏ＆Ｍサーバ１００からＱｏＳパラメータ値の更新要求があった場合、設定されているＱｏＳパラメータ値を更新し、更新したＱｏＳパラメータ値に従ってＱｏＳ制御を行う。
【００２７】
図４は、図１に示した基地局２００−１の内部構成の一例を示す図である。
【００２８】
図１に示した基地局２００−１には図４に示すように、通信部２１０と、制御部２２０と、記憶部２３０とが設けられている。なお、図４には、図１に示した基地局２００−１に設けられた構成要素のうち、本実施の形態に関わる主要な構成要素の一例を示す。また、図１に示した基地局２００−２〜２００−３についても、基地局２００−１と同様の構成要素を具備する。
【００２９】
通信部２１０は、ＬＴＥネットワーク３００を介して、Ｏ＆Ｍサーバ１００等と通信を行う通信インタフェースである。
【００３０】
制御部２２０は、Ｏ＆Ｍサーバ１００から、更新のために送信されてきたＱｏＳパラメータ値に基づいて、通信制御（ＱｏＳ制御）を行う。このとき、制御部２２０は、記憶部２３０に記憶されているＱｏＳパラメータ値に基づいて、通信制御（ＱｏＳ制御）を行う。
【００３１】
記憶部２３０は、ＱｏＳパラメータ値をあらかじめ記憶する。また、Ｏ＆Ｍサーバ１００から更新のために送信されてきたＱｏＳパラメータ値を記憶する。このとき、記憶部２３０は、すでに記憶しているＱｏＳパラメータ値に、Ｏ＆Ｍサーバ１００から送信されてきたＱｏＳパラメータ値を上書きして書き換える。
【００３２】
以下に、図１に示した通信システムにおける通信制御方法について説明する。
【００３３】
図５は、図１に示した通信システムにおける通信制御方法のうち、トラヒック情報およびレスポンス情報に基づいて、ＱｏＳパラメータ値を更新する処理の一例を説明するためのフローチャートである。
【００３４】
まず、Ｏ＆Ｍサーバ１００は、初期化処理を実行し（ステップＳ１）、基地局２００−１〜２００−３からネットワークトポロジ（どんな基地局が接続されているかなどのネットワーク構成情報）および基地局２００−１〜２００−３に設定されているＱｏＳパラメータ値を収集する。
【００３５】
その後、Ｏ＆Ｍサーバ１００は、周期的に分析のループ処理を行う（ステップＳ２）。このループ処理にて、監視部１１０は、基地局２００−１〜２００−３からトラヒック情報を一定周期でカテゴリ毎に収集する（ステップＳ３）。また、監視部１１０は、基地局２００−１〜２００−３とＥＰＣ間、基地局２００−１〜２００−３とＯ＆Ｍサーバ１００間、基地局間の呼制御メッセージのレスポンス情報を収集する（ステップＳ４）。ここでレスポンス情報として使用する、レスポンス率やレスポンス時間の算出方法については、ここでは特に規定しない。
【００３６】
また、監視部１１０は、収集したトラヒック情報およびレスポンス情報をトラヒックテーブル１２０に書き込むことで、トラヒックテーブル１２０を更新する（ステップＳ５）。
【００３７】
すると、分析部１３０は、更新されたトラヒックテーブル１２０の保持内容の分析を開始する（ステップＳ６）。例えば、分析部１３０は、ある基地局のあるカテゴリにおけるトラヒック情報において、スループットが低下していたり、パケット廃棄が頻繁に発生していたりしないかどうかを分析する。
【００３８】
具体的には、分析部１３０は、トラヒックテーブル１２０のトラヒック値と所定の閾値（Ｏ＆Ｍサーバ１００に保持されていてもよい）とを比較する。分析部１３０は、比較の結果に基づいて、ＱｏＳパラメータ値の最適化が必要かどうかを判定する。例えば、スループットが閾値を下回っていたり、パケット廃棄率が閾値を超えていたりした場合、分析部１３０は、ＱｏＳパラメータ値の最適化が必要であると判定する。
【００３９】
そして、分析部１３０は、ＱｏＳパラメータ値の最適化が必要であると判定した場合、新しいＱｏＳパラメータ候補値を選定（算出）する（ステップＳ７）。例えば、スループットがある閾値を下回った場合、分析部１３０は、ＱｏＳパラメータ値である割り当て通信帯域を広げたり、優先度を上げたりして、スループットが上がるようにする。また、スループットが所定の閾値を上回った場合、分析部１３０は、ＱｏＳパラメータ値である割り当て通信帯域を狭くしたり、優先度を下げたりして、スループットが高くなりすぎることを防ぐ。ここで、このようにＱｏＳパラメータ値を変更する際、分析部１３０は、トラヒックテーブル１２０に記憶されている制御メッセージのレスポンス情報（レスポンス率やレスポンス時間）をチェックし、制御メッセージのレスポンス状態が悪化しないように最適なＱｏＳパラメータ値の算出を行う。例えば、分析部１３０は、ＱｏＳパラメータ値をある値に最適化して割り当て通信帯域を狭くすることで、レスポンス率が所定の閾値を下回ってしまう場合や、レスポンス時間が所定の閾値を上回ってしまう場合などは、レスポンス率がその閾値を下回らない、またはレスポンス時間がその閾値を上回らないような値を算出する。この算出方法は、例えば、統計データを保持しておき、その統計データに基づくものであっても良いし、所定の算出式を用いても良く、適当な方法を用いるもので良い。これは、同一基地局内の別のトラヒックカテゴリや他の基地局のトラヒックに影響を与えることを防ぐためである。
【００４０】
分析部１３０が新しいＱｏＳパラメータ値を算出すると、基地局（例えば、基地局２００−１）に対して、そのＱｏＳパラメータ値の更新が必要となった場合（ステップＳ８）、当該ＱｏＳパラメータ値を送信部１４０が基地局２００−１へ送信することで、基地局２００−１に対してＱｏＳパラメータ値の更新を要求する（ステップＳ９）。
【００４１】
また、分析部１３０は、算出したＱｏＳパラメータ値をトラヒックテーブル１２０に反映する（ステップＳ１０）。こうして周期的な分析のループ処理が終了する（ステップＳ１１）。
【００４２】
なお、ＱｏＳパラメータ値の更新を要求された基地局２００−１では、Ｏ＆Ｍサーバ１００から送信されてきたＱｏＳパラメータ値を通信部２１０が受信し、制御部２２０が記憶部２３０に書き込む。このとき、記憶部２３０にＱｏＳパラメータ値がすでに記憶されている場合、制御部２２０は、Ｏ＆Ｍサーバ１００から送信されてきたＱｏＳパラメータ値に書き換える。そして、制御部２２０は、記憶部２３０に書き込んだＱｏＳパラメータ値に基づいて、通信制御（ＱｏＳ制御）を行う。
【００４３】
図６は、図１に示した通信システムにおける通信制御方法のうち、ネットワークトポロジが基地局・セルの増減設によって変化した場合にＱｏＳパラメータ値を更新する処理の一例を説明するためのフローチャートである。
【００４４】
まず、基地局から、基地局やセルの増減設があったことを示す通知をＯ＆Ｍサーバ１００が受信すると（ステップＳ２１）、監視部１１０は、当該通知が「増設」を示すものであるか「減設」を示すものであるかを判定する（ステップＳ２２）。
【００４５】
当該通知が「増設」を示すものである場合、トラヒックテーブル１２０にエントリが追加となるため、監視部１１０は、増設された基地局やセルに対して割り当てるＱｏＳパラメータ値として、あらかじめシステム固定で決められたデフォルト値をトラヒックテーブル１２０に書き込む（ステップＳ２３）。その後、図５に示したフローチャートを用いて説明した処理サイクルが回ることにより、ＱｏＳパラメータ値の最適化が行われる。そして、Ｏ＆Ｍサーバ１００は、トラヒックテーブル１２０をもとにＱｏＳパラメータ値を割り当てる（ステップＳ２４）。
【００４６】
一方、当該通知が「減設」を示すものである場合、監視部１１０は、トラヒックテーブル１２０の該当エントリを削除する（ステップＳ２５）。
【００４７】
図７は、図１に示した通信システムにおける通信制御方法のうち、基地局が行うイベントに基づいて、ＱｏＳパラメータ値を更新する処理の一例を説明するためのフローチャートである。
【００４８】
オペレータが基地局に対して優先度の高い作業（例えば、ファイルダウンロード）をしようとした場合、Ｏ＆Ｍサーバ１００と連動して、その基地局のＱｏＳパラメータ値を更新する（例えば、割り当て帯域を上げる、または優先度を上げる）ものであっても良い。こうすることで、ダウンロードファイルを高速にダウンロードすることが可能である。優先度の高いイベントが発生しているにもかかわらず、ＱｏＳパラメータ値が最適なものではない（割り当て帯域が狭いものに設定されていたり、優先度が低く設定されていたりする）問題を回避するためである。
【００４９】
本機能との連携するイベントを監視部１１０が基地局から受信した場合（ステップＳ３１）、分析部１３０は、そのイベントに割り当てるべきＱｏＳパラメータ値（通信帯域および優先度）を取得する（ステップＳ３２）。このとき、システム固有であらかじめ決められたデフォルト値を使うケースとオペレータが明示的に指定した値を使うケースがある。また、ファイルダウンロードのようなイベントの場合は、分析部１３０は、ダウンロードするファイルサイズおよびファイルダウンロードが終了してほしい時刻に基づいて、必要なＱｏＳパラメータ値（通信帯域および優先度）を割り出す。
【００５０】
その後、分析部１３０は、そのＱｏＳパラメータ値をアサインしても全体としてのトラヒックに問題が発生しないかどうかを、現在のトラヒックテーブル１２０に記憶されている情報に基づいて分析する（ステップＳ３３）。本イベントの通信帯域を広げたり優先度を上げたりすることで、他のトラヒックカテゴリに影響が出る場合は、分析部１３０は、他のトラヒックカテゴリの通信帯域を狭くしたり優先度を下げたりしたＱｏＳパラメータ値を選定する（ステップＳ３４）。
【００５１】
そして、基地局に対してＱｏＳパラメータ値の更新が必要となった場合（ステップＳ３５）、当該ＱｏＳパラメータ値を送信部１４０が基地局へ送信することで、基地局に対してＱｏＳパラメータ値の更新を要求する（ステップＳ３６）。
【００５２】
また、分析部１３０は、算出したＱｏＳパラメータ値をトラヒックテーブル１２０に反映する（ステップＳ３７）。
【００５３】
以上説明したように本発明においては、以下に記載するような効果を奏する。
【００５４】
第１の効果は、ネットワークの輻輳やパケットロスを自動で防ぐことができる。
【００５５】
第２の効果は、空いているネットワークリソースを別のトラヒックカテゴリに与えることができるため、ネットワークリソースの有効活用ができる。
【００５６】
第３の効果は、パラメータチューニングを自動ですることができるためＯＰＥＸを抑えることができる。
【００５７】
第４の効果は、パラメータチューニングの際のオペレーションミスを無くすことができる。
【００５８】
第５の効果は、ＱｏＳパラメータ値の更新に、制御メッセージのレスポンス情報を加味することで、アプリケーションレベルでの品質を考慮したパラメータ値を決定することができる。
【００５９】
上記の実施の形態の一部または全部は、以下の付記のようにも記載され得るが、以下には限られない。
（付記１）基地局と、該基地局を監視する監視サーバとを具備する通信システムにおいて、
前記監視サーバは、
前記基地局におけるトラヒック情報と、前記基地局への制御メッセージに対する該基地局からのレスポンスの状態を示すレスポンス情報とを収集する監視部と、
前記監視部が収集したトラヒック情報に基づいて、サービス品質パラメータ値を最適化するか否かを判定し、前記サービス品質パラメータ値を最適化すると判定した場合、前記監視部が収集したトラヒック情報およびレスポンス情報に基づいて、最適化後のサービス品質パラメータ値を算出する分析部と、
前記分析部が算出したサービス品質パラメータ値を前記基地局へ送信する送信部とを有し、
前記基地局は、
前記監視サーバから送信されてきたサービス品質パラメータ値に基づいて、通信制御を行う制御部を有する通信システム。
（付記２）前記基地局は、
前記サービス品質パラメータ値をあらかじめ記憶する記憶部を有し、
前記制御部は、前記記憶部に記憶されているサービス品質パラメータ値に基づいて、通信制御を行い、前記監視サーバから前記サービス品質パラメータ値が送信されてきた際、前記記憶部に記憶されているサービス品質パラメータ値を前記監視サーバから送信されてきたサービス品質パラメータ値に書き換えることを特徴とする付記１に記載の通信システム。
（付記３）前記監視部は、前記基地局への制御メッセージに対する該基地局からのレスポンス率およびレスポンス時間を前記レスポンス情報として収集することを特徴とする付記１または付記２に記載の通信システム。
（付記４）前記分析部は、前記基地局の使用可能な通信帯域を前記サービス品質パラメータ値として算出することを特徴とする付記１から３のいずれか１項に記載の通信システム。
（付記５）前記分析部は、前記基地局が送受信する信号種別に応じた優先度を前記サービス品質パラメータ値として算出することを特徴とする付記１から４のいずれか１項に記載の通信システム。
（付記６）前記分析部は、前記基地局が行うイベントに基づいて、前記サービス品質パラメータ値を最適化するか否かを判定し、前記サービス品質パラメータ値を最適化すると判定した場合、前記基地局が行うイベントに基づいて、最適化後のサービス品質パラメータ値を算出することを特徴とする付記１から５のいずれか１項に記載の通信システム。
（付記７）前記監視サーバと前記基地局とは、ＬＴＥネットワークを介して接続されることを特徴とする付記１から６のいずれか１項に記載の通信システム。
（付記８）基地局を監視し、該基地局におけるトラヒック情報と、前記基地局への制御メッセージに対する該基地局からのレスポンスの状態を示すレスポンス情報とを収集する監視部と、
前記監視部が収集したトラヒック情報に基づいて、サービス品質パラメータ値を最適化するか否かを判定し、前記サービス品質パラメータ値を最適化すると判定した場合、前記監視部が収集したトラヒック情報およびレスポンス情報に基づいて、最適化後のサービス品質パラメータ値を算出する分析部と、
前記分析部が算出したサービス品質パラメータ値を前記基地局へ送信する送信部とを有する監視サーバ。
（付記９）基地局であって、
サービス品質パラメータ値をあらかじめ記憶する記憶部と、
前記記憶部に記憶されているサービス品質パラメータ値に基づいて、通信制御を行い、当該基地局を監視する監視サーバから前記サービス品質パラメータ値が送信されてきた際、前記記憶部に記憶されているサービス品質パラメータ値を前記監視サーバから送信されてきたサービス品質パラメータ値に書き換える制御部とを有する基地局。
（付記１０）基地局と、該基地局を監視する監視サーバとを具備する通信システムにおける通信制御方法であって、
前記監視サーバが、前記基地局におけるトラヒック情報と、前記基地局への制御メッセージに対する該基地局からのレスポンスの状態を示すレスポンス情報とを収集する処理と、
前記監視サーバが、前記収集したトラヒック情報に基づいて、サービス品質パラメータ値を最適化するか否かを判定する処理と、
前記監視サーバが、前記サービス品質パラメータ値を最適化すると判定した場合、前記収集したトラヒック情報およびレスポンス情報に基づいて、最適化後のサービス品質パラメータ値を算出する処理と、
前記監視サーバが、前記算出したサービス品質パラメータ値を前記基地局へ送信する処理と、
前記基地局が、前記監視サーバから送信されてきたサービス品質パラメータ値に基づいて、通信制御を行う処理とを行う通信制御方法。
【符号の説明】
【００６０】
１００    Ｏ＆Ｍサーバ
１１０    監視部
１２０    トラヒックテーブル
１３０    分析部
１４０    送信部
２００−１〜２００−３    基地局
２１０    通信部
２２０    制御部
２３０    記憶部
３００    ＬＴＥネットワーク
４００    ＥＰＣ
５００    コアネットワーク
【図１】
2014003476.tif 000003
【図２】
2014003476.tif 000004
【図３】
2014003476.tif 000005
【図４】
2014003476.tif 000006
【図５】
2014003476.tif 000007
【図６】
2014003476.tif 000008
【図７】
2014003476.tif 000009